Podtech/llm-jp-corpus-v4-ja_patent huggingface dataset:
(57)【要約】【課題】従来のソーラー発電システムは、夜間や発電量の少ないときは、商用電力に頼らなければならなかった。これは太陽電池が、太陽光エネルギー不足の原因で電気に変換できないからである。【解決手段】これを解決するために、太陽光エネルギーを電気に変換するソーラー発電システムに貯蔵電池を接続した。貯蔵電池は太陽電池で発電した電力を貯蔵する。これにより商用電力を使わずに、電力の供給不足を解決することができる。貯蔵電池の貯蔵量をモニターユニットで表示することにより、余剰電力を電力会社に売電して、ソーラー発電の組織化もでき、クリーンエネルギーの積極的活用を図ることができる。【選択図】図1
2007014093.tif 000002
【特許請求の範囲】
【請求項１】
フライホイール式電池をデイ―ゼル発電機と連結せずに、貯蔵電池化する。
【請求項２】
超伝導の貯蔵装置を貯蔵電池化する。
【請求項３】
太陽電池モジュールに接続して、電力を貯蔵する、貯蔵電池を内蔵して、商用電力を必要とせずに、電力供給が可能であるソーラー発電システム。
【請求項４】
貯蔵電池の貯蔵量をモニターユニットで表示して、余剰電力を売電して、ソーラー発電の組織化をする。
【発明の詳細な説明】
【技術分野】
【０００１】
本発明は、ソーラー発電システムによる発電電力を貯蔵電池に貯蔵して、商用電力を買わずに、電力供給ができるソーラー発電システムに関する。
【背景技術】
【０００２】
従来のソーラー発電システムには、太陽電池のＭＰＰＴ制御を簡単かつ高精度で行うことが可能で電力取得の効率を向上させることができる（例えば、特許文献1参照。）。
また、太陽電池に蓄電池を組み合わせたシステムの蓄電池容量メリット算出方法と蓄電池充放電運用方法がある（例えば、特許文献2参照。）。
【０００３】
【特許文献１】特開２００４−２８０２２０号公報
【特許文献２】特開２００４−３２９８９号公報
【発明の開示】
【発明が解決しようとする課題】
【０００４】
以上述べたソーラー発電システムでは、電力の供給量が限定されている。
【０００５】
本発明は、電力の貯蔵を目的として、商用電力からの電力供給を必要とせずに、貯蔵電池からの電力供給を可能にしようとするものである。
【課題を解決するための手段】
【０００６】
2000年1月6日新聞で電力の貯蔵が出来ることを知った（非特許文献1参照。）。
【０００７】
これはフライホイール電源装置である。ケーシングに設けた軸受けにフライホイールの回転軸を支承させ、ケーシング内でフライホイールを回転させることにより、電気エネルギーを運動エネルギーに変換し、必要時にその運動エネルギーを電気エネルギーに再変換するようにした電源装置である（例えば、特許文献3参照。）。
【０００８】
また、フライホイールを安定して回転させ、フライホイールの運動エネルギー貯蔵能力を向上させた縦型のフライホイール式電池がある（例えば、特許文献4参照。）。
【０００９】
ソーラー発電の電気エネルギーを、フライホイール式電池を運動エネルギーに変換して貯蔵して、貯蔵電池化する。ソーラー発電からの供給が不可能になれば、商用電力を用いず、この貯蔵電池から供給する。
【００１０】
また、超伝導の電力貯蔵装置がある（例えば、特許文献5参照。）。
【００１１】
これはパルス管冷凍機が必要である。しかし、これを用いず、冷却液で超伝導コイルのリード端子を覆い、発熱の温度上昇をふせぎ、貯蔵電池をつくる。
【００１２】
【特許文献３】特開平１０−２８５８３５号公報
【特許文献４】特開平１１−３１８００３号公報
【特許文献５】特開２００５−６５４００号公報
【非特許文献１】中日新聞朝刊2000.1.6
【発明の効果】
【００１３】
上述したように、ソーラー発電システムに接続した本発明の貯蔵電池は、商用電力を必要とせずに電力供給が可能である。
【発明を実施するための最良の形態】
【００１４】
以下、本発明の実施の形態を図1、図2、図3に基づいて説明する。
【００１５】
図1において、太陽光エネルギーを電気に変換する太陽電池モジュール1で発電された電力は双方向コントローラ6を通りフライホイール式電池7に運動エネルギーとして貯蔵されて、貯蔵電池8となる。
【００１６】
太陽電池モジュール1で発電された電力が、半導体スイッチ4で検知できない時、貯蔵電池8の運動エネルギーが電気エネルギーに変換されて、ソーラー発電対応住宅分電盤9に供給される。
【００１７】
貯蔵された電力は、モニターユニット5で表示される。
【００１８】
貯蔵された電力は、売電電力量計10から売電され、ソーラー発電の組織の一単位となる。
【００１９】
図2と図3においては、太陽電池1で発電された電力はパワーコンディショナー3から三相電源12を通り、ＡＣ/ＤＣ変換器13を介して、超伝導コイル11とリード端17からなる貯蔵電池8に貯蔵される。
【００２０】
瞬低検出器14が三相電源12の瞬低を検出すると、ＡＣ/ＤＣ変換器13が超伝導コイル11に貯蔵された電気エネルギーをリード端子17から取り出して、切り替えスイッチ15を介して、負荷16に出力する。
【００２１】
負荷16の電力は、モニターユニット5で売電力が表示される。
【産業上の利用可能性】
【００２２】
ソーラー発電を貯蔵電池と接続することにより、戸外での電気製品の電力源や、ソーラーカーの動力源として、幅広い利用が見込まれる。
【図面の簡単な説明】
【００２３】
【図１】フライホイール式電池を用いた貯蔵電池内臓ソーラー発電システムの全体図である。
【図２】超伝導コイルを用いた貯蔵電池内臓ソーラー発電システムの全体図である。
【図３】超伝導コイルを用いた貯蔵電池内臓ソーラー発電システムの機能ブロック図である。
【符号の説明】
【００２４】
１…太陽電池モジュール
２…接続箱
３…パワーコンデイショナー
４…半導体スイッチ
５…モニターユニット
６…双方向コントローラ
７…フライホイールユニット
８…貯蔵電池
９…ソーラー発電対応住宅分電盤
１０…売電電力量計
１１…超伝導コイル
１２…三相電源
１３…瞬低検出器
１４…ＡＣ/ＤＣ変換器
１５…切り替えスイッチ
１６…負荷
１７…リード端子
１８…冷却液
１９…超伝導の貯蔵電池の一式
【図１】
2007014093.tif 000003
【図２】
2007014093.tif 000004
【図３】
2007014093.tif 000005
(57)【要約】      （修正有）【課題】薬剤入り注射器の包装容器において、内容物の確認が容易であり、且つ、薬剤入り注射器を包装した後、ガス滅菌が可能で、嵩張らない包装を得ること。【解決手段】透明な気密性の樹脂フィルム１と、通気性のある樹脂フィルム２を組み合わせ薬剤入り注射器３をピロー包装することにより、内容物の確認が容易で、且つ薬剤入り注射器を包装した後、ガス滅菌が可能で、嵩張らない包装を得ることができる。【選択図】図２
2007014610.tif 000002
【特許請求の範囲】
【請求項１】
薬剤入り注射器の包装用袋であって、透明な気密性の樹脂フィルムと、通気性のある樹脂フィルムを組み合わせ、包装袋の内、一面が透明で内容物の確認が可能である薬剤入り注射器の包装用袋。
【請求項２】
薬剤入り注射器を包装後にガス滅菌処理できる請求項１の薬剤入り注射器の包装用袋。
【請求項３】
透明な気密性の樹脂がポリエチレンテレフタレートもしくはポリエチレンの一種以上を積層した樹脂である請求項１ないし２の薬剤入り注射器の包装用袋。
【請求項４】
通気性のある樹脂が高密度ポリエチレン製不織布である請求項１ないし３の薬剤入り注射器の包装用袋。
【請求項５】
包装後にガス滅菌可能な、透明な気密性の樹脂フィルムと、通気性のある樹脂フィルムを組み合わせ、包装袋の内、一面が透明で内容物の確認が可能である包装用袋に包装された薬剤入り注射器製剤。
【発明の詳細な説明】
【技術分野】
【０００１】
本発明は、包装後にガス滅菌可能で、包装された医薬製剤が目視にて確認できる包装袋及び当該包装袋に包装された医薬製剤に関する。
【背景技術】
【０００２】
薬剤入り注射器は、ディスポーザブル医療機器などと同様に、特定の包装容器によって医療用滅菌包装を施されたいわゆる注射剤パックとして流通される。現在、薬液が充填されていないディスポーザブルの注射容器は、透明性の樹脂によって一体成形され且つ底面が開放された容器本体と、滅菌ガスを透過可能なシート材から成り且つ容器本体の底面を封止する滅菌紙とから構成されることが一般的である。そして、薬剤入り注射器が封入された包装容器は、例えば、エチレンオキサイドガスに晒されることにより、滅菌紙を透過したガスによって内部が滅菌処理される。なお、斯かる滅菌処理は、処理効率の観点から、通常、多数配列され且つ上下に多数段積み重ねた状態で行われる。
【０００３】
そのため、包装容器に薬剤入り注射器を封入して成る注射剤パックであって、前記包装容器は、透明性の樹脂によって細長の略器状に一体成形され且つ底面が開放された容器本体と、滅菌用ガスを透過可能なシート材から成り且つ前記容器本体の底面を封止する滅菌紙とから構成され、前記容器本体は、薬剤入り注射器の注射筒の注射針取付部を収容する第１の膨出部と、薬剤入り注射器の略中央部を収容する第２の膨出部と、注射筒のフランジおよびピストンロッドの押し子を収容する第３の膨出部と、これらの膨出部を結合する２つのくびれ部とを備え、かつ、前記第３の膨出部は、容器本体の長手側から側面視した場合、中央部が凹没した鞍部状に形成されている包装容器が知られている（特許文献１）。
【０００４】
しかし、この注射剤パックは、滅菌ガスの透過可能なシート剤は不透明であり、また、一応、容器自体は透明性のある樹脂を利用しているものの、内容物の状態の視認性に劣ること、輸送時に嵩張ること等、必ずしも実用上満足できるものではなかった。
【０００５】
【特許文献１】特開平１１−１５５９４８
【発明の開示】
【発明が解決しようとする課題】
【０００６】
このような状況に鑑み、薬剤入り注射器の包装容器において、内容物の確認が容易であり、且つ、薬剤入り注射器を包装した後、ガス滅菌が可能で、嵩張らない包装を得ることである。
【課題を解決するための手段】
【０００７】
本課題を解決するために、本発明者らは様々な検討を実施した結果、透明な気密性の樹脂フィルムと、通気性のある樹脂フィルムを組み合わせ薬剤入り注射器をピロー包装することにより、内容物の確認が容易で、且つ薬剤入り注射器を包装した後、ガス滅菌が可能で、嵩張らない包装を得ることに成功した。
【０００８】
すなわち、本発明は下記の通りである。
（１）薬剤入り注射器の包装用袋であって、透明な気密性の樹脂フィルムと、通気性のある樹脂フィルムを組み合わせ、包装袋の内、一面が透明で内容物の確認が可能である薬剤入り注射器の包装用袋。
（２）薬剤入り注射器を包装後にガス滅菌処理できる（１）の薬剤入り注射器の包装用袋。
（３）透明な気密性の樹脂がポリエチレンテレフタレートもしくはポリエチレンの一種以上を積層した樹脂である（１）ないし（２）の薬剤入り注射器の包装用袋。
（４）通気性のある樹脂が高密度ポリエチレン製不織布である（１）ないし（３）の薬剤入り注射器の包装用袋。
（５）包装後にガス滅菌可能な、透明な気密性の樹脂フィルムと、通気性のある樹脂フィルムを組み合わせ、包装袋の内、一面が透明で内容物の確認が可能である包装用袋に包装された薬剤入り注射器製剤。
【発明の効果】
【０００９】
本発明は透明な気密性の樹脂フィルムと、通気性のある樹脂フィルムを組み合わせ薬剤入り注射器をピロー包装することにより、内容物の確認が容易で、且つ薬剤入り注射器を包装した後、ガス滅菌が可能で、嵩張らない包装を得ることができる。
【発明を実施するための最良の形態】
【００１０】
本発明に使用する透明な気密性樹脂フィルムは、気密性で透明で有れば、特に限定されない。具体的にはポリエチレンテレフタレートもしくはポリエチレンの内、一種以上を積層した樹脂などが上げられる。
【００１１】
通気性のある樹脂フィルムは、通気性がありガス滅菌可能なもので有れば特に限定されない。具体的には高密度ポリエチレン製不織布（タイベック）が挙げられる。
【００１２】
本製剤に用いることのできる薬剤は、注射用の薬剤であれば特に限定されることはないが、予め注射筒に充填されたプレフィルドシリンジ製剤として有益性がある薬剤が好ましい。
【００１３】
また、包装後に実施するガス滅菌方法は、過酸化水素ガス滅菌、エチレンオキサイドガス滅菌などが挙げられる。
【００１４】
本発明に係る薬剤入り注射器包装袋及び当該包装袋に包装された状態の薬剤入り注射器の一実施形態を図面に基づいて説明する。図１は、本発明の薬剤入り注射器の包装袋である。図２は、当該包装袋に薬剤入り注射器が包装されたものである。図３は、図２の背面図である。
【００１５】
図１中、１の透明で気密性の樹脂フィルムは、ポリエチレンテレフタレートとポリエチレンを積層した樹脂フィルムである。２は、高密度ポリエチレン製不織布（タイベック）である。
【図面の簡単な説明】
【００１６】
【図１】本発明の包装袋
【図２】本発明の薬剤入り注射器が包装袋に包装された状態の薬剤
【図３】薬剤入り注射器包装された包装袋の背面図
【符号の説明】
【００１７】
１ ：透明で気密性の樹脂フィルム
２ ：通気性のある樹脂フィルム
３ ：薬剤入り注射器
【図１】
2007014610.tif 000003
【図２】
2007014610.tif 000004
【図３】
2007014610.tif 000005
(57)【要約】【課題】髪を結わいたり、留めたりする必要なく、本来の髪の美しさを強調でき、容易にかつ多様的に取付可能なジュエリー感覚のヘアアクセサリーを提供する。【解決手段】台座部2に装飾部材1を設け、前記台座部2に磁石3を埋設したものである。台座部2に内蔵された磁石3と係止部材である磁石4は、メッキ加工が可能な永久磁石であるネオジム磁石を使用し、前記係止部材である磁石4の直径は、前記台座部2と同程度、または小さめの直径で形成する。【選択図】図１
2007014644.tif 000002
【特許請求の範囲】
【請求項１】
磁力を用いて取付するヘアアクセサリーであって、装飾部材と係止部材とを備え、前記装飾部材を固定する台座部には前記係止部材と互いに磁力により引き合うように磁石が内蔵されていることを特徴とするヘアアクセサリー。
【発明の詳細な説明】
【技術分野】
【０００１】
本発明は、磁力を用いて髪に取付するヘアアクセサリーに関するものである。
【背景技術】
【０００２】
従来、髪を簡単に飾るものとして、ヘアクリップやヘアピンに装飾部材を取付したものが一般的に知られているが、いずれも髪を結わいたり、留めたりと容易に取付することができないという欠点があった。
【０００３】
なお、本発明に関する公知技術として次の特許文献1を挙げることができる。
【０００４】
【特許文献１】特開2000-354510、ヘアピン状部材付き髪止め飾り
【発明の開示】
【発明が解決しようとする課題】
【０００５】
本発明は、前記背景の下に成立したものであって、髪を結わいたり、留めたりすることなく、確実に取付できるヘアアクセサリーを提供することを目的とする。
【課題を解決するための手段】
【０００６】
前記目的を達成するために本発明のヘアアクセサリーは、磁力を用いて取付するヘアアクセサリーであって、装着部材と係止部材とを備え、前記装着部材を固定する台座部には前記係止部材と互いに磁力により引き合うように磁石が内蔵されていることを特徴とする。
【発明の効果】
【０００７】
本発明のヘアアクセサリーは、磁力により取付するので、髪を結わいたり、留めたりする必要なく、自然の状態のままで髪を飾ることができる。
【０００８】
また、クリップやピン等の留め具を用いないので、髪を傷めず、なおかつ容易に取付することができる。
【発明を実施するための最良の形態】
【０００９】
以下、本発明の実施の形態を図面に基づいて説明する。
【実施例１】
【００１０】
図１は、本発明のヘアアクセサリーAであって、装飾部材1と係止部材4からなる。
【００１１】
装飾部材1は、円筒形である台座部2に固定されており、前記台座部は磁石3を内蔵している。
【００１２】
台座部2に内蔵された磁石3は、磁石である係止部材4と互いに磁力により引き合うように構成されている。
【００１３】
係止部材4は、台座部2の直径と同程度の直径が好ましい。その理由としては、磁石3と係止部材である磁石4とが互いに引き合う磁力を最大限に発揮しつつ、装飾部材1だけを視認する為である。
【００１４】
装飾部材1の形成材料は金属、石、ガラス、合成樹脂等あらゆる材料が使用可能である。装飾部材1の形状も花形、星型、ハート型、図2のような球型、図3のようなチェーン付き等、限定されることはない。
【００１５】
台座部2は、金色や銀色にメッキされ、装飾性を高めている。
【００１６】
磁石3,4にネオジム磁石を使用し、台座部2と同色のメッキ加工をすることによって、装飾性、同一性を高めている。
【００１７】
磁力で、髪を挟んで取付するため、髪型を選ばずに容易に取付することができる。髪を結わいたり、留めたりする必要なく、自然なままの髪に直接つけることができる。ストレートヘアや、巻き髪、勿論髪を結わいてから、取付したりと、バリエーションは豊富である。
【００１８】
ヘアアクセサリーの数や場所を変えるだけで、同一の髪型でも複数のバリエーションを楽しむことができる。
【００１９】
髪を結わいたり、留めたりするついでに髪を飾るものではなく、本来の髪の美しさをより一層輝かせるという、ネックレスや指輪、ピアスのようなジュエリー感覚で身につける事ができ、ファッション性に富んだものとなる。
【図面の簡単な説明】
【００２０】
【図１】本発明の実施形態であるヘアアクセサリーの側面図である。
【図２】本発明のヘアアクセサリーの形状を変えた例の側面図である。
【図３】本発明のヘアアクセサリーの形状を変えた例の側面図である。
【図４】本発明のヘアアクセサリーの使用状態である。
【符号の説明】
【００２１】
１    装飾部材
２    台座部
３    磁石
４    係止部材（磁石）
A    ヘアアクセサリー
【図１】
2007014644.tif 000003
【図２】
2007014644.tif 000004
【図３】
2007014644.tif 000005
【図４】
2007014644.tif 000006
(57)【要約】【課題】従来のインダクタ型モータの逆転防止機構は複雑でコスト高となる欠点があった。【解決手段】本発明の逆転防止爪車付きインダクタ型モータにおいては、インダクタ型モータと、このモータの出力軸に連結した歯車と、この歯車の逆転を阻止する爪車と、上記爪車の爪の先端面を逆転方向を向く上記歯車の歯面に対接するよう上記爪車を抑制する押圧手段とよりなることを特徴とする。上記歯車の歯面に対する上記爪車の爪の先端面の接触角は、上記歯車の歯の圧力角と同等でかつ爪先端面の内側の角が歯底に向って突出していることを特徴とする。【選択図】図２
2007014188.tif 000002
【特許請求の範囲】
【請求項１】
インダクタ型モータと、このモータの出力軸に連結した歯車と、この歯車の逆転を阻止する爪車と、上記爪車の爪の先端面を逆転方向を向く上記歯車の歯面に対接するよう上記爪車を抑制する押圧手段とよりなることを特徴とする逆転防止爪車付きインダクタ型モータ。
【請求項２】
上記歯車の歯面に対する上記爪車の爪の接触角が、上記歯車の歯の圧力角と同等であることを特徴とする請求項１記載の逆転防止爪車付きインダクタ型モータ。
【請求項３】
上記爪の先端面の内側の角が歯車の歯底に向って突出しており、上記歯車が逆転したとき、上記爪の先端面が上記歯車から外れないことを特徴とする請求項１または２記載の逆転防止爪車付きインダクタ型モータ。
【発明の詳細な説明】
【技術分野】
【０００１】
本発明は逆転防止爪車付きインダクタ型モータ、特に、自動製氷装置などに利用する逆転防止爪車付きインダクタ型モータに関する。
【背景技術】
【０００２】
現在の自動製氷装置用のモータは、交流駆動式単相ヒステリシス型モータを使用しているが、出力効率が約１〜２％と極めて低く、入力の殆どが損失になっていること、また効率が悪いためモータの小型化が出来ず、コストを下げることができなかった。また同じ交流式単相モータとして、インダクタ型があり、ヒステリシス型より約１０倍の出力効率があるが、単相のため逆転する懸念があった。
【０００３】
インダクタ型であれば、出力効率が良い分、モータの小型化によりコスト低減が出来るので、逆転を如何に防止するかという課題がある。
【０００４】
このような、モータの逆転を防止する装置としては例えば特許文献１に記載のものがある。
【特許文献１】特開平３−１９８６３９号公報
【発明の開示】
【発明が解決しようとする課題】
【０００５】
然しながら、上記従来の逆転を防止する装置は、歯車の軸部に摩擦摺動自在に結合した逆転防止レバーやバネ板を用いるものであり機構が複雑である。
【０００６】
本発明は上記の欠点を除くようにしたものである。
【課題を解決するための手段】
【０００７】
本発明の逆転防止爪車付きインダクタ型モータは、インダクタ型モータと、このモータの出力軸に連結した歯車と、この歯車の逆転を阻止する爪車と、上記爪車の爪の先端面を逆転方向を向く上記歯車の歯面に対接するよう上記爪車を抑制する押圧手段とよりなることを特徴とする。
【０００８】
上記歯車の歯面に対する上記爪車の爪の接触角は、上記歯車の歯の圧力角と同等であることを特徴とする。
【０００９】
また、本発明の上記爪の先端面の内側の角は、歯車の歯底に向って突出しており、上記歯車が逆転したとき、上記爪の先端面が上記歯車から外れないことを特徴とする。
【発明の効果】
【００１０】
本発明においては、製氷装置用のモータをヒステリシス型から出力効率の良いインダクタ型にしたので、出力効率が良い分、モータの小型化ができ、例えば、モータの重さを１６０ｇから８０ｇに半減することができる。また、これによりコストの低減のみならず、消費電力の低減、使用資源の抑制といった環境への有益性も向上するようになる。爪と歯面との接触角を歯車の圧力角と同等にし、さらに爪先端を歯底方向に突出させることにより逆転防止効果を確実にする。
【発明を実施するための最良の形態】
【００１１】
以下図面によって本発明の実施例を説明する。
【実施例１】
【００１２】
本発明の逆転防止爪車付きインダクタ型モータは図１及び図２に示すように、ケーシング１と、上記ケーシング１内に設けた交流式単相インダクタ型モータ（図示せず）と、このモータの出力軸２に連結した歯車列３と、上記ケーシング１に回動自在に設けた爪車５と、上記爪車５の爪６の先端面６ａを常時、上記歯車列３のうちの任意の歯車４の上記爪６の先端面６ａに接する逆転方向を向く歯面４ａに対接せしめるよう抑制するバネ７とよりなる。
【００１３】
本発明の逆転防止爪車付きインダクタ型モータは上記のような構成であるから、モータ正転時は正転方向に移動する歯車４の歯によって上記爪車５の爪６がバネ７に抗して上記歯車４の歯面４ａから外れる方向に移動され、モータは正転できるが、逆回転時には上記歯車４の歯面４ａに上記爪車５の爪６の先端面６ａが掛合したままとなり、モータの逆回転が防止されるようになる。
【実施例２】
【００１４】
本発明の逆転防止爪車付きインダクタ型モータの第２の実施例においては図２に示すように、上記第１の実施例における逆転防止爪車付きインダクタ型モータにおいて、上記歯車４の歯の中心線と、この歯の歯面４ａに接する上記爪６の先端面６ａとのなす角、即ち、接触角を、上記歯車４の歯の圧力角Ａと同等になるように定める。
【００１５】
本発明の第３の実施例においては、更に図３に示すように爪先端を歯底に向って突出させることにより逆転時の爪の先端面６ａと歯面４ａとの接触を確実にし逆転防止を図る。
【００１６】
また、上記爪車５と上記バネ７とは別体であっても、一体であってもよい。
【図面の簡単な説明】
【００１７】
【図１】本発明の逆転防止爪車付きインダクタ型モータの縦断側面図である。
【図２】図１の要部の動作説明図である。
【図３】本発明の他の実施例を示す説明図である。
【符号の説明】
【００１８】
１    ケーシング
２    出力軸
３    歯車列
４    歯車
４ａ  歯面
５    爪車
６    爪
６ａ  先端面
７    バネ
【図１】
2007014188.tif 000003
【図２】
2007014188.tif 000004
【図３】
2007014188.tif 000005
(57)【要約】【課題】本発明は、簡単な構造で、機器取り付け板の取り付け位置を容易に変更できるキャビネットを提供することを目的としている。【解決手段】本発明に係るキャビネットの構造は、キャビネット１に電気機器を取り付けるための機器取り付け板３を固定するために設けられるボス５は、基台２に回動動作により可動に蝶着すると共に、ボス５は断面略矩形に形成され、長辺側と短辺側とそれぞれの略中央部にボス穴４を形成し、ボス５を回動させることによりボス穴４の設定位置を変更可能としたことを特徴とする。【選択図】図３
2007014133.tif 000002
【特許請求の範囲】
【請求項１】
基台に各種電気機器を配置して分電盤を構成するキャビネットにおいて、該キャビネットに前記電気機器を取り付けるための機器取り付け板を固定するために設けられるボスは、前記基台に回動動作により可動に蝶着すると共に、前記ボスは断面略矩形に形成され、長辺側と短辺側とそれぞれの略中央部にボス穴を形成し、前記ボスを回動させることにより前記ボス穴の設定位置を変更可能としたことを特徴とするキャビネット。
【発明の詳細な説明】
【技術分野】
【０００１】
本発明は、基台に各種電気機器を配置して分電盤を構成するキャビネットに関するものである。
【背景技術】
【０００２】
住宅用分電盤の基台３１には木板３２もしくは鉄板３３が取り付けられ、それぞれに機器が載置され分電盤が構成される。木板３２もしくは鉄板３３を基台３１に固定するためにねじ溝を形成したボス穴３４を有するボス３５が基台３１に立設される。木板３２と鉄板３３は厚みが異なるため、同じボス３５に取り付けた場合、取り付け高さが異なり、場合によっては機器が住宅用分電盤のカバーに当たってしまうことがあるため、取り付けられるものに合わせてボス３５を切削加工し、使用していた。
【非特許文献１】２００５カワムラ総合カタログ電設資材編  平成１７年５月１日発行
【発明の開示】
【発明が解決しようとする課題】
【０００３】
しかしながら上記背景技術における住宅用分電盤では、キャビネットの用途により、取り付けられる機器や機器を取り付けるための機器取り付け板の板厚が異なるため、機器取り付け板を取り付けるためのボス３５を切削加工等で高さ調節しなくてはならなかった。ボス３５は一つのキャビネットに複数個あるため、作業時間がかかると共に、複数のボス３５の高さを統一するため精度を求められていたため、作業が煩雑なものになっていた。
【課題を解決するための手段】
【０００４】
そこで本発明は、簡単な構造で、機器取り付け板の取り付け位置を容易に変更できるキャビネットを提供することを目的とし、その構造は、キャビネットに電気機器を取り付けるための機器取り付け板を固定するために設けられるボスは、基台に回動動作により可動に蝶着すると共に、ボスは断面略矩形に形成され、長辺側と短辺側とそれぞれの略中央部にボス穴を形成し、ボスを回動させることによりボス穴の設定位置を変更可能としたことを特徴とする。
【発明の効果】
【０００５】
本発明に係るキャビネットはキャビネットに電気機器を取り付けるための機器取り付け板を固定するために設けられるボスは、基台に回動動作により可動に蝶着すると共に、ボスは断面略矩形に形成され、長辺側と短辺側とそれぞれの略中央部にボス穴を形成し、ボスを回動させることによりボス穴の設定位置を変更可能としたため、用途の異なる使用方法でもキャビネットを共用する時、ボス穴の位置変更のための加工時間が削減できるので加工コストを低減できる。
【発明を実施するための最良の形態】
【０００６】
キャビネットを多種の用途に共用する場合、加工時間を削減し加工コストを抑えるという目的を、作業工数を抑えて実現した。
【実施例１】
【０００７】
本発明に係るキャビネットを図１〜図３の添付図面に基づいて説明する。
【０００８】
キャビネット１の基台２には機器取り付け板３が固定される。機器取り付け板３の上にブレーカ等の電気機器を載置し前面はカバー等で施蓋され、分電盤が構成される。
【０００９】
基台２にはねじ溝を形成したボス穴４を設けたボス５を取り付ける。機器取り付け板３はボス穴４にねじ６を挿通し、締め付け固定する。ボス５は断面略矩形に形成し、長辺と短辺それぞれの上面にボス穴４を設ける。ボス５は一端を基台２に蝶着し、回動動作により可動とする。
【００１０】
これらキャビネット１は機器を搭載した状態で分電盤として出荷する場合と、機器が任意に取り付けられるように機器取り付け板３を取り付けただけの状態で出荷し、その都度適宜機器を搭載する場合とがある。出荷の段階で機器を搭載する場合には、搭載される機器の寸法や数も把握できているので、それら機器に合わせた取り付け穴７を有する金属製の機器取り付け板３ａを用いる。また、出荷後に機器を搭載する場合には、その都度取り付け穴７を設けるのが面倒なため、木製の機器取り付け板３ｂを取り付け、現場で取り付け穴の加工の必要なく、都度機器が取り付けられるようにしている。
【００１１】
例えば、金属製の薄い機器取り付け板３ａを用いる場合、ボス５は短辺を底面に対して水平にした状態でボス穴４が高い位置に配置されるようにする。ボス５の短辺の上面に機器取り付け板３ａを載せねじ５を挿通し締め付け固定する。また、木製の厚い機器取り付け板３ｂを用いる場合、ボス５は長辺を底面に対して水平にした状態でボス穴４が低い位置に配置されるようにする。ボス５の長辺の上面に機器取り付け板３ｂを載せねじ６を挿通し締め付け固定する。
【００１２】
ボス５を回動させることでボス穴４の設定位置を変更することができ、機器を取り付けるための機器取り付け板が金属製３ａや木製３ｂや板厚の異なる場合でも、ボス５を切削加工することなく簡単に取り付け作業が行える。
【産業上の利用可能性】
【００１３】
ボスを回動させることでボス穴の設定位置を変更することができ、機器を取り付けるための機器取り付け板が金属製や木製や板厚の異なる場合だけでなく、機器取り付け板に取り付けられる機器の寸法の差にも適用できる。
【図面の簡単な説明】
【００１４】
【図１】本発明に係るキャビネットの基台を示す説明図である。（実施例１）
【図２】本発明に係るキャビネットのボスの動作を示す説明図である。（実施例１）
【図３】図２におけるボスに機器取り付け板を取り付けた状態を示す説明図である。（実施例１）
【図４】従来技術におけるキャビネットのボスを示す説明図である。
【符号の説明】
【００１５】
１    キャビネット
２    基台
３    機器取り付け板
３ａ  薄い機器取り付け板
３ｂ  厚い機器取り付け板
４    ボス穴
５    ボス
６    ねじ
７    取り付け穴
【図１】
2007014133.tif 000003
【図２】
2007014133.tif 000004
【図３】
2007014133.tif 000005
【図４】
2007014133.tif 000006
(57)【要約】 【課題】  発電機の容量増加による大型化を解消する。【解決手段】  回転子の回転方向と逆方向に外側回転子を回転させことにより，この課題を解決する。        【選択図】  図2
2007014118.tif 000002
【特許請求の範囲】
【請求項１】
回転子と外側回転子で構成し回転子の回転方向と逆方向に外側回転子を回転させる発電機。
【発明の詳細な説明】
【技術分野】
【０００１】
本発明は，発電機の固定子に関するものであり，固定子を回転子と逆方向に回転させることにより発電機を小型化にするものである。
【背景技術】
【０００２】
従来から，発電機は内側の回転子を回転させ外側の固定子は固定させていた。
【発明の開示】
【発明が解決しようとする課題】
【０００３】
しかし，従来のような固定子を固定させた発電機の発電容量は、発電の基である磁束と回転子の回転数の積に比例した値となる。このため，回転子の回転数を一定として発電容量を増加させる場合は，発電の基である磁束の増加を要するため，発電機が大型化となる。
【課題を解決するための手段】
【０００４】
この課題を解決するための請求項1の発明は，固定子を回転可能な外側回転子に変更し回転子の回転方向と外側回転子の回転方向が逆方向の発電機である。
【発明の効果】
【０００５】
本発明の外側回転子を用いた発電機の発電容量は，発電の基である磁束に回転子の回転数と外側回転子の回転数を加えた回転数の積に比例した値となり発電容量が一定の場合は，回転数の増加に反比例して発電の基である磁束の減少が可能となるため発電機を小型化とすることが出来る。
【発明を実施するための最良の形態】
【０００６】
図2は，回転子と外側回転子で構成され，回転子の回転方向と外側回転子の回転方向が逆方向であることを特徴とする発電機。同図に示すように回転子プロペラの回転方向と外側回転子プロペラの回転方向は逆方向であることから回転子と外側回転子の回転方向を逆方向にすることが可能となる。また図3のように回転子プロペラの回転方向と外筒プロペラの回転方向を同方向とし外筒と外側回転子の間に歯車を設置し回転子と外側回転子の回転方向を逆方向にしてもよい。
【産業上の利用可能性】
【０００７】
本発明に係る外側回転子は，工業的に量産する事が可能であるため，産業上の利用可能性を有する。
【図面の簡単な説明】
【０００８】
【図１】固定された固定子と，回転する回転子で構成された従来の発電機の斜視図である。
【図２】回転子プロペラの回転方向と，外側回転子プロペラの回転方向が逆方向である発電機の斜視図である。
【図３】回転子プロペラの回転方向と，外筒プロペラの回転方向が同一方向で外筒と外側回転子の間に歯車を設置した発電機の斜視図である。
【符号の説明】
【０００９】
１回転子
２固定子
３外側回転子
４外筒
５歯車
６回転子プロペラ
７外側回転子プロペラ
８外筒プロペラ
９回転子の回転方向
１０外側回転子の回転方向
１１外筒の回転方向
【図１】
2007014118.tif 000003
【図２】
2007014118.tif 000004
【図３】
2007014118.tif 000005
【手続補正書】
【提出日】平成17年9月1日(2005.9.1)
【手続補正１】
【補正対象書類名】図面
【補正対象項目名】全図
【補正方法】変更
【補正の内容】
【図１】
2007014118.tif 000006
【図２】
2007014118.tif 000007
【図３】
2007014118.tif 000008
(57)【要約】【課題】竿先に装置を取り付けると、仕掛けを海に投入する時道糸が装置に絡まないように注意する必要がある、信号が道糸に伝わり餌にくいついた魚が餌を放してしまう事がある。【解決手段】投げ釣りで、竿と防波堤等の間に設置して使用する装置で、竿受け１と振動検出装置取り付け用の突起物２を、下部を基台４に固定した上下方向に弾力性を有するスプリング等３の上部に固定し、又振動検出装置を入力とした、音と光を発する装置取り付け用ビス穴５を基台４に設けた魚信感知用竿受け。【選択図】  図１
2007014254.tif 000002
【特許請求の範囲】
【請求項１】
投げ釣りで、竿と防波堤等の間に設置して使用する装置で、竿受け１と振動検出装置取り付け用の突起物２を、下部を基台４に固定した上下方向に弾力性を有するスプリング等３の上部に固定し、又振動検出装置を入力とした、音と光を発する装置取り付け用ビス穴５を基台４に設けた魚信感知用竿受け。
【発明の詳細な説明】
【技術分野】
【０００１】
投げ釣りで魚信があった時、音と光を発して魚信を感知する事に関する。
【背景技術】
【０００２】
竿先に鈴を取り付けていた、鈴の場合小さな魚信を感知する事ができない場合がある。
【０００３】
この改善策として、竿先に振動検出装置（接点）、竿中央部に発報装置を取り付ける装置がある。
【特許文献１】特願平１０―２１３３９６
【発明の開示】
【発明が解決しようとする課題】
【０００４】
解決しようとする問題点は、竿先に装置を取り付けると、仕掛けを海に投入する時道糸が装置に絡まないように注意する必要がある、信号が道糸に伝わり餌にくいついた魚が餌を放してしまう事がある。
【課題を解決するための手段】
【０００５】
投げ釣りで、竿と防波堤等の間に設置して使用する装置で、竿受け１と振動検出装置取り付け用の突起物２を、下部を基台４に固定した上下方向に弾力性を有するスプリング等３の上部に固定し、又振動検出装置を入力とした、音と光を発する装置取り付け用ビス穴５を基台４に設けた魚信感知用竿受け。
【発明の効果】
【０００６】
竿自体には装置等取り付けていないので、魚および釣り人に悪影響がない。
夜釣りで複数の竿の場合、音で魚信を光で竿の確定ができる。
【実施例１】
【０００７】
図１は本発名装置の１実施例の正面図であって、コイル状のスプリング３の先端に竿受け１と振動検出装置取り付け用の突起物２を固定し、竿を竿受けに置いた時、コイル状スプリング３が正面から見て海面と直角、側面から見て竿と直角になるようにコイル状スプリング３の片方を基台４に固定する、コイル状スプリング３の横揺れ防止装置６を基台４に固定、又振動検出装置を入力とした、音と光を発する装置取り付け用ビス穴５を基台４に設けた魚信感知用竿受け。
【実施例２】
【０００８】
図２は本発名装置の２実施例の斜視図であって、弾力性のある針金等７をコの字型に折り曲げ、コの字型の片方の曲げ箇所に、振動検出装置取り付け用突起物２としての一重の輪を設ける、又コの字型の中央部に竿受け１としてのへこみ設ける、弾力性のある針金等７の両先端を基台４に固定する、又振動検出装置を入力とした、音と光を発する装置取り付け用ビス穴５を基台４に設けた魚信感知用竿受け。
【図面の簡単な説明】
【０００９】
【図１】装置本体の正面図である。（実施例１）
【図２】装置本体の斜視図である。（実施例２）
【符号の説明】
【００１０】
１  竿受け
２  振動検出装置取り付け用の突起物
３  コイル状スプリング
４  基台
５  音を発する装置取り付け用ビス穴
６  コイル状スプリング３の横揺れ防止装置
７  弾力性のある針金等
【図１】
2007014254.tif 000003
【図２】
2007014254.tif 000004
(57)【要約】【課題】  干し大根を使用するために、歯触りが悪く、漬かる日数も長くかかる。また、大根に漬け液がまわりにくく、味も不均一になって、漬物特有の臭いがある。特定量の酢と塩、ざらめ、みりんを加えることにより、漬物特有の臭いがしなく、大根特有の色を残した、歯触りがよい甘味の少ない大根の漬物を得る。【解決手段】  皮をむいた生の大根１０ｋｇに塩２８０ｇ、酢５００ｃｃ、ざらめ１ｋｇ、みりん１８０ｃｃを混合した状態で漬け込む。１０日間で漬物特有の臭いがしなく、大根特有の色も残した。しゃきしゃきとした歯触りと良好な甘味とを兼ね備えた漬物ができる。【選択図】  なし【特許請求の範囲】
【請求項１】
皮をむいた生の大根１０ｋｇに、塩２８０ｇ、酢５００ｃｃ、ざらめ１ｋｇ、みりん１８０ｃｃを混合して漬けることを特徴とする大根の漬物の製造方法。
【発明の詳細な説明】
【技術分野】
【０００１】
大根が変形するため、大根と同じ重さの重石をのせ、漬け込み後３日後に、味を均一に
するため、大根を上下に入れかえる。１０日経過すると、漬けられた大根とほぼ等しい体
積の漬液ができる。この漬液を別の容器に移しかえて、調味料として利用する。
【背景技術】
【０００２】
１０月下旬に収穫し、軒下に約３週間干した干し大根１０ｋｇに、塩７５０ｇ、砂糖５００ｇ、ぬか２．５ｋｇ、赤唐辛子６本、たくあんの素２５ｇを使用する。干し大根は、ぬるま湯でさっと洗い、水気を切って、塩とぬか、砂糖、たくあんの素をよく混ぜ合わせ、樽の底にぬかをしき、大根をきっちり押し並べる。間に赤唐辛子を細かく刻んで入れながら、最後にぬかを厚めにかける。樽に中蓋をし、重しをのせる。水が増加したら、重しを半分にする。１ヵ月〜２ヵ月で食べ始められる。
【発明の開示】
【発明が解決しようとする課題】
【０００３】
干し大根を使用するために、歯触りが悪く、漬かる日数も長くかかる。また、大根に漬け液がまわりにくく、味も不均一になって、漬物特有の臭いがある。
【課題を解決するための手段】
【０００４】
干し大根の代わりに皮をむいた生の大根を漬け込むことと、漬け液を塩、砂糖、ぬか、赤唐辛子、たくあんの素の代わりに、塩、ざらめ、酢、みりんを使用する。
【発明の効果】
【０００５】
皮をむいた生の大根を使用することで、漬け込み日数が短く、漬物特有の臭いがしなくなり、大根特有の色を残して、良好な甘味と歯触りを備えた漬物が完成した。
【発明を実施するための最良の形態】
【０００６】
皮をむいた生の大根（品種：くらま）を１０ｋｇ、塩２８０ｇとざらめ１ｋｇを用意し、漬物用樽（４０リットル入り）に大根をきれいに一列に並べ、塩とざらめを少しづつふりかける。その上にまた大根を並べ、塩とざらめをふりかける。すべて大根を並べ終え、さらに塩とざらめをかける。その上から酢５００ｃｃとみりん１８０ｃｃを全体にかける。最後に重石１０ｋｇをのせて、３日後に大根を上下に入れかえて１０日間漬け込む。
(57)【要約】【課題】  従来行っていた野球グラブの保革油の塗布、消臭剤のスプレー等による清掃、消臭作業を、一度の作業で指穴の奥部まで簡単に清掃、消臭できるようにする。【解決手段】  不織布２を手袋形に形成し、不織布２に少なくとも清浄剤、消臭剤、除菌剤を含浸させた野球グラブ用ウエットクリーナー１を手に着用して、野球グラブ６から出し入れしたり、手に持った野球グラブ６を左右に動かして、各指穴を含む野球グラブ６の内部の汚れを拭き取るようにする。【選択図】        図１
2007014515.tif 000002
【特許請求の範囲】
【請求項１】
繊維性生地を手袋形に形成し、繊維性生地に少なくとも清浄剤、消臭剤、除菌剤を含浸させたことを特徴とする野球グラブ用ウエットクリーナー（１）。
【請求項２】
繊維性生地を不織布（２）としたことを特徴とする請求項１に記載の野球グラブ用ウエットクリーナー（１）。
【発明の詳細な説明】
【技術分野】
【０００１】
本発明は、手袋形態の繊維性生地に清浄剤、消臭剤、除菌剤等を含浸させた野球グラブ用のクリーナーに関するものである。
【背景技術】
【０００２】
従来の野球グラブ用のクリーナーは、野球グラブの手口からスプレーし、布片を各指穴に差し込んで汚れを落としたり、布片に保革油を染み込ませて、野球グラブの手口から布片を各指穴に差し込んで汚れを拭き取っていた。
また、汚れ落としの後、消臭剤や芳香剤をスプレーし手入れをすることが一般的であった。
ところが布片を各指穴に差し込んで汚れを落とすには、布片を折り畳むかロール状にして各指穴に差し込んで、布片を各指穴に出入りさせて汚れを落としていたので、順次各指穴に布片を差し込んで汚れを落とすという繰り返し動作が必要となり、また、指穴の奥部や溝部等は十分に汚れが落とせなかった。
【０００３】
そこで、布片を持って汚れ落としをしなくても、細部の清掃ができるものとして、手袋形ぞうきんや手袋形の化学ぞうきん、手袋形の楽器類磨き用クロスが提案されている。
【特許文献１】特開平８−２８９８６６号公報
【特許文献２】実用新案登録第３０２４８５６号公報
【特許文献３】実用新案登録第３０３６８２５号公報
【発明の開示】
【発明が解決しようとする課題】
【０００４】
前記特開平８−２８９８６６号公報、実用新案登録第３０２４８５６号公報、実用新案登録第３０３６８２５号公報の手袋形の清掃具は、床や物品の表面の清掃に適する物として開示されている。
【０００５】
ところが、これらの手袋形の清掃具は、野球グラブの汚れ落とし、殊に指穴の清掃には適さないものであった。
【０００６】
そこで、本発明は従来行っていた保革油の塗布、消臭剤のスプレー等複数回の作業を、一度の作業で指穴の奥部まで簡単に清掃、消臭、除菌できるようにするものである。
【課題を解決するための手段】
【０００７】
前記課題を解決するため、請求項１に記載の発明は、繊維性生地を手袋形に形成し、繊維性生地に少なくとも清浄剤、消臭剤、除菌剤を含浸させたことを特徴とする野球グラブ用ウエットクリーナーである。
【０００８】
野球グラブの手入れに必要な薬液を手袋形の繊維性生地に含浸させることで、一度の作業で指穴の奥部まで簡単に清掃、消臭、除菌等ができる。
【０００９】
請求項２に記載の発明は、繊維性生地を不織布としたことを特徴とする請求項１に記載の野球グラブ用ウエットクリーナーである。
【００１０】
繊維性生地には布、紙、不織布等があるが、薬液の含浸性、軽量性、耐久性等の点から不織布を用いることが望ましい。
【発明の効果】
【００１１】
従来の布片を用いた汚れ落としでは十分に手入れができなかった指穴の奥部の汚れも簡単に取り除くことができる。また、汚れ落としと同時に一度の動作で消臭、除菌効果を得ることができる。
【発明を実施するための最良の形態】
【００１２】
本発明の野球グラブ用ウエットクリーナーは、布、紙、不織布等の繊維性生地を２枚重ねて、５本の指が入る手袋形態になるように製袋し、手袋形態の繊維性生地に清掃、消臭、除菌等の効能を有する薬液を含浸させたものである。
【００１３】
従って、２枚の生地を製袋するには、縫製、接着、超音波シール、熱融着等の方法が有るが、不織布を用いる場合は超音波シールによることが望ましい。
【００１４】
５本の指の形態は、左右非対称の一般的な手袋の形態に形成しても良いが、中指を中心として左右対称に形成すると、表裏、右手、左手に関係なく使用できるので好ましい。
【００１５】
含浸させる薬液は、少なくとも清浄剤、消臭剤、除菌剤を含んで、他に芳香剤を含ませることもできる。なお、手のかぶれ等の発生率を小さくするため、薬液は安全性のあるものを用いる。
【００１６】
本発明の野球グラブ用ウエットクリーナーは、手に着用して野球グラブから出し入れさせて内部を清掃するだけでなく、手に着用したままキャッチボールをすることでも内部を清掃することができる。また、内部だけでなく野球グラブの外部もふき取るようにして清掃することができる。
【００１７】
なお、本発明の野球グラブ用ウエットクリーナーは、薬液の乾燥を防ぐために防水性の袋に入れて包装する。
【実施例】
【００１８】
以下、本発明の実施例を図１、図２を参照して説明する。図１は本発明の一実施例の平面図であり、図２は本発明の使用状態を示す説明図である。
【００１９】
図１に示す野球グラブ用ウエットクリーナー１は、レーヨン、ポリプロピレン、ポリエチレンを複合させた不織布２を２枚重ねて、中指を中心として左右対称形になるように超音波シール法で手口３を除く指部４の周囲をシール５し、抜き型で打ち抜いて形成する。
【００２０】
打ち抜いた手袋形の不織布２は、折り畳んで防水性の内袋に入れ、消臭剤としてカテキン、除菌剤として食品用防腐剤、清浄剤としてアルコールを混合した薬液を充填し、内袋をヒートシールにより封印する。
【００２１】
本発明の野球グラブ用ウエットクリーナー１による清掃は、図２に示すように野球グラブ用ウエットクリーナー１を着用した手を野球グラブ６に挿入し、他方の手で野球グラブ６を持って、野球グラブ用ウエットクリーナー１を着用した手を野球グラブ６から出し入れしたり、手に持った野球グラブ６を左右に動かして、各指穴を含む野球グラブ６の内部の汚れを拭き取るようにする。
【００２２】
なお、内部の汚れを拭き取った後、捕球面等の外部の汚れや余分な保革油の除去にも使用することができる。
【産業上の利用可能性】
【００２３】
本発明は、野球用グラブ、野球用ミットに限らず、その他の皮革製品の清浄、除菌にも用いることができる。
【図面の簡単な説明】
【００２４】
【図１】本発明の一実施例の平面図である。
【図２】本発明の使用状態を示す説明図である。
【符号の説明】
【００２５】
１  野球グラブ用ウエットクリーナー
２  不織布
３  手口
４  指部
５  シール
６  野球グラブ
【図１】
2007014515.tif 000003
【図２】
2007014515.tif 000004
(57)【要約】      （修正有）【課題】逆噴射ノズルで高圧水を噴射して配管内を進み、チーとかクロスなどのところで施工者の意図する方向へ方向転換できる逆噴射ノズルを提供する。【解決手段】ヘッド（車輪）２の中心３を逆噴射ノズル１の中心の延長線からずらす構成とした。【選択図】図１
2007014939.tif 000002
【特許請求の範囲】
図１側面図で説明すると．ヘッドの中心を逆噴射ノズルの中心の延長線上からずらせて接続して一体としたものである。
【発明の詳細な説明】
【発明の詳細な説明】
この発明は配管の中を高圧水の逆噴射ノズルにより．進んでチーの処へ来た時施工者の意図した方向へ方向転換して進むノズルである。
【発明が解決しようとする課題】
従来からあるヘアピンノズル．スズランノズルはノズルの先が１８０度．又３６０度自在に動くため配管の中を進んでチーの処へ来た時．施工者の意図した方向へ全く進めなかった。
【解決手段】
本発明はこの欠点を克服するため．図  １側面図で説明すると３ヘッドの中心を逆噴射ノズルの中心の延長線上からずらすことによりノズルが配管の中を仮に水平に進んでいってチーに突き当たったとき．右へ進めたいとき．ヘッドを右側へ沿って進めれば右へ曲がって進み．左へ進めたい時はヘッドを左側へ沿って進めれば左へ曲がって進む。
チーで垂直方向へ上げたい時は配管の天井側へ沿って進ませると垂直方向へ上がって行き．下げたいときは床に沿ってヘッドを進めれば下がって行くのである。
【図面の簡単な説明】
【図１】側面図である  ヘッドの中心が逆噴射ノズルの中心延長線上からずれている。
【図２】平面図である  ヘッドの中心が逆噴射ノズルの中心延長線上にある。
【符号の説明】
１  逆噴射ノズル。  ２  ヘッド（車輪）。  ３  ヘッドを繋ぐ軸の中心。
４  逆噴射ノズルの中心線。
５  ネック（ヘッドと逆噴射ノズルを接続しているもの）。
６  ヘッド（車輪）とヘッド（車輪）を繋いでいる軸。
【図１】
2007014939.tif 000003
【図２】
2007014939.tif 000004
(57)【要約】      （修正有）【課題】ハケ塗り時の汚れを防止する。【解決手段】ペンキ返しを具備するハケ。ペンキを上の方を塗るときハケよりペンキが柄に伝わり、下にぽつり落ちるし手にペンキが付着するが、ペンキ返しが有ることで、安心して上の方を塗ることが出来る。ペンキ返しにペンキが入っても、横にしてペンキを塗って居るとペンキが出るので、ペンキ返しの先端を少し内側に曲げ、ハケを横にしてもペンキが出ないようにする。ペンキ返しに入ったペンキを出す時は、手前側の先端の内側に曲げた所を少し切ってをくことで、ハケをペンキに付ける時、ハケが下向きになる事で、ペンキ返しの中のペンキが出る。ペンキ返しをハケの柄に取付けた事で、ハケの柄にペンキが付かないし、手にもペンキが付かない。【選択図】図１
2007014938.tif 000002
【特許請求の範囲】
【請求項１】
ハケ．ペンキ返し．で有る。ペンキを上の方を塗るときハケの柄に伝わり、手にペンキが付いて困る、ハケ．ペンキ返しが有ることで、安心して上の方を塗ることが出来る、ハケ．ペンキ返しにペンキが入っても横にしてペンキを塗って居るとペンキが出るので、ペンキ返しの先端を少し内側に曲げる、内側に曲げたことでハケを横にしてもペンキが出ないようにする、ハケ．ペンキ返しに入ったペンキを出す時は、ハケ．ペンキ返しの手前側の先端の内側に曲げた所を少し切ってをくことで、ハケをペンキに付ける時、ハケが下向きになる事で、ハケ．ペンキ返しの中のペンキが出る、ハケ．ペンキ返しを付けた事で柄にペンキが付かないし、手にもペンキが付かない、此れを皆さんに提供する。
【発明の詳細な説明】
【発明の詳細な説明】
【技術分野】
【０００１】  本発明は、ハケ．ペンキ返し．である、ペンキが柄に伝わり手にペンキが付いて困る、ハケにペンキ返しを付ける事で、手にペンキが付かない、ハケ．ペンキ返しの素材は油に溶けない物で柔らかい物を使用する、ぶつかっても柔らかいため、ハケを動かすのに差し使えない用にした、ハケ．ペンキ返しを横にして使用するとペンキ返しの中にあるペンキがこぼれるので、ハケ．ペンキ返しの先端を内側に少し曲げることでこぼれなくなる、ハケ．ペンキ返しの中に入ったペンキはハケ．ペンキ返しの手前側の先端の内側に曲げた所を少し切る事で解決する、ハケ．ペンキ返しを皆さんに提供する。
【発明が解決しようとする課題】
【０００２】  本発明は、ハケ．ペンキ返し．である、従来のハケは上方を塗って居るうち手や体にぽつりと落ちる、あまり気持ちの良い物ではなく、これを解決するため、ハケから柄に伝わるのを中間で止める事で解決する、ハケ．ペンキ返しをハケと柄の中間に取り付けてペンキのたれるのを防ぐ、ハケ．ペンキ返しを皆さんに提供する。
【課題を解決するための手段】
【０００３】  本発明は、ハケ．ペンキ返し．である、普通のハケではペンキがたれたり、柄に伝わりたれて手元が汚れる、此れを解決するために、ハケ．ペンキ返しをハケと柄の間に取り付ける事にした、ハケ．ペンキ返しの素材は油に強い柔らかい物を使用する、ハケ．を狭いところで使用するさいに、壁や、下見にハケ．ペンキ返しがぶつかった時に、柔らかく反応してくれる事で、仕事がすむうずに出来る、その上にペンキが手元に流れてこないので活気的である、此れを皆さんに提供したい。
【発明の実施態様】
【０００４】  以下、本発明の一実施例を図を参照して説明する．ハケ．ペンキ返し．である。
（１）ハケの柄本体である。
（２）ハケの部分である。
（３）ハケ．ペンキ返しである。
（４）取り付け部分である。ハケ．ペンキ返しを、ハケの柄本体に貼り付ける、のと、ヒモで縛る、のと、採用する。
（５）返し止めである。（３）のハケ．ペンキ返しの中にペンキが入ってそのままハケを横にしてペンキを塗ると、ペンキがこぼれるので、ハケ．ペンキ返しの先端の内側に少し曲げた物である。
（５Ａ）手前のペンキ吐出しである。（５）の返し止めの手前の内側を少し切る事で下を向けるとペンキを排出できる。
【発明の効果】
請求項１記載の本発明は。ハケ．ペンキ返し．である。（従来のハケは、ペンキを上の方を塗るときハケのペンキが柄に伝わり、手元にくるし下にも落ちる。）本発明はハケのペンキが柄に伝わり手元に流れてこない、下にも落ちない手もきれいに仕事が出来る、此れは素晴らしい事である、皆さんに提供する。
【図面の簡単な説明】
【図１】  本発明の一実施例を示す。従来のハケの柄に、ハケ．ペンキ返し．の装置を図面にした物である。
【図１】
2007014938.tif 000003